(57)【要約】【課題】  従来例として、ごみ袋容器に、係止部、切欠き部とかを設け、係止部等に引掛け支持するものである。ごみ袋の四面を、容器の内面に添設支持して取付けられる容器でない。ごみ充填に注意を要し、かつ容易でなく、手間と経験とを要する。従って、使い勝手が良く、かつ誰でも、ごみ袋容器に取付けたごみ袋に、ごみを容易に捨て得ること、ごみ袋容器に、ごみ袋の取付け、取外しが容易に行える構造が望まれる。【解決手段】  立方体の有底箱体と、箱体の対峙する第１・第２側面外壁の上部に設けたごみ袋の取手係止用の第１・第２突起、及び同釣手と、第１・第２側面と、直交する第３・第４側面の上部に設けたごみ袋のひれ片係止用の第１・第２差込み片と、でなるごみ袋容器で、箱体の、少なくとも、蓋部の裏面に、ごみ袋の第１収容部を設けたごみ袋容器である。ごみ袋容器、及び／又は、ごみ袋の使い勝手が良く、かつ誰でも、ごみを容易に捨て得る。【選択図】      図１
2019123612.tif 000002
【特許請求の範囲】
【請求項１】
立方体の有底箱体と、この箱体の対峙する第１・第２側面外壁の上部に設けたごみ袋の取手係止用の突起、及び／又は、釣手と、第１・第２側面と、直交する第３・第４側面の上部に設けたごみ袋のひれ片係止用の差込み片と、でなるごみ袋容器であって、
この箱体の、少なくとも、蓋部の裏面に、ごみ袋の第１収容部を設けたことを特徴とするごみ袋容器。
【請求項２】
前記ひれ片係止用の差込み片は、前記第３側面の内壁に設けた第１差込み片と、前記第４側面の外壁に設けた第２差込み片とでなり、前記第１差込み片の内壁と前記第３側面の内壁との間に第１隙間を形成し、前記第２差込み片の内壁と前記第４側面の外壁との間に第２隙間と、を形成したことを特徴とする請求項１に記載のごみ袋容器。
【請求項３】
前記有底箱体の上端縁に設けた対の受入れ管に、前記蓋部の一部に設けた軸管を、差込み嵌合し、この嵌合で形成される管間に、支持用のピンを差込み支持したことを特徴とする請求項１に記載のごみ袋容器。
【請求項４】
前記有底箱体の第３側面の外側に、ごみ袋の第２収容部を設けたことを特徴とする請求項１に記載のごみ袋容器。
【請求項５】
前記有底箱体は、立方体形状、三角形状、楕円形状、又は円筒形状の何れかとしたことを特徴とする請求項１に記載のごみ袋容器。
【発明の詳細な説明】
【技術分野】
【０００１】
本発明は、市販のごみ袋を簡易にセットでき、かつ簡易に取外しできる、所謂、簡便な取り扱いができるごみ袋容器に関する。
【背景技術】
【０００２】
従来、この種のごみ袋をセットする容器（ごみ袋容器）は、先行文献として、各形態の構造が提案されている。その中において、本発明と関連がある数件の公報を提案する。
【０００３】
先ず、ごみ袋の持ち手（取っ手）と、ひれ片を、容器に係止する（取付ける）発明として、特開２０１０−３７０８８号がある。この発明は、ごみ袋の持ち手を引掛ける対の係止部と、ひれ片を係止する接着部とを備える構造である。また、予備のごみ袋（ゴミ袋も同じ）を備えた容器の考案として、実開平７−３８００６号がある。この考案は、ごみ箱本体の底部に、ごみ袋の束（ごみ袋束とする）を収容できる収容部を備える構造である。さらに、ごみ袋を開放した状態を確保できるようにする為に、ごみ袋の四方向を支持できる切欠き部を形成した発明として、特開平６−１５６６０４号がある。この発明は、ごみ箱の開口周辺角部に、切欠き溝を形成し、この溝にごみ袋の持ち手とか、ひれ片を、それぞれ係止する構造である。
【０００４】
【特許文献１】特開２０１０−３７０８８号公報
【特許文献２】実開平７−３８００６号公報
【特許文献３】特開平６−１５６６０４号公報
【発明の概要】
【発明が解決しようとする課題】
【０００５】
文献１、文献３は、ごみ袋容器に、係止部とか、切欠き部とかを設けて、この係止部等に引掛け支持するものである。従って、ごみ袋の四面を、容器の内面に添設支持して取付けられる容器でない。ごみ充填に注意を要し、かつ容易でないことと、手間と経験とを要すると考えられる。よって、ごみ袋容器は、使い勝手が良く、かつ誰でも、ごみ袋容器に取付けたごみ袋に、ごみを容易に捨て得ることと、併せて、ごみ袋容器は、ごみ袋の取付け、取外しが容易に行える構造が望まれる。
【０００６】
また、文献２の、ごみ袋束を収める収容部を、ごみ箱の底部に設けた構造では、ごみ袋を収容する際に、屈む所作が必要であって、面倒である。
【０００７】
更に文献３は、組立可能な切欠き付き器に、ごみ袋の端部とか取手を支持する構造であり、ごみ袋の取付け、取外しが容易である反面、外れる虞があり、安定性に欠けることが考えられる。
【課題を解決するための手段】
【０００８】
上記に鑑み、本発明のごみ袋容器、及び／又は、ごみ袋は、使い勝手が良く、かつ誰でも、ごみ袋容器に取付けたごみ袋に、ごみを容易に捨て得ることと、併せて、ごみ袋容器は、ごみ袋の取付け、取外しが容易に行える構造を提案する。原則として、請求項１〜請求項５に記載の構造が相当する。
【発明の効果】
【０００９】
請求項１は、立方体の有底箱体と、箱体の対峙する第１・第２側面外壁の上部に設けたごみ袋の取手係止用の突起、及び／又は、釣手と、第１・第２側面と、直交する第３・第４側面の上部に設けたごみ袋のひれ片係止用の差込み片と、でなるごみ袋容器であって、
箱体の、少なくとも、蓋部の裏面に、ごみ袋の第１収容部を設けたごみ袋容器である。
【００１０】
これにより、請求項１の発明では、ごみ袋容器、及び／又は、ごみ袋の使い勝手が良く、かつ誰でも、ごみを容易に捨て得ることと、併せて、ごみ袋の取付け、取外しが容易に行える特徴がある。また、予備のごみ袋の収容（保管）と取出し等の容易化と、これに関連した所作の簡易化、標準化等が図れる特徴がある。
【００１１】
請求項２は、ひれ片係止用の差込み片は、第３側面の内壁に設けた第１差込み片と、第４側面の外壁に設けた第２差込み片とでなり、第１差込み片の内壁と第３側面の内壁との間に第１隙間を形成し、第２差込み片の内壁と第４側面の外壁との間に第２隙間を、形成したごみ袋容器である。
【００１２】
これにより、請求項２の発明では、請求項１の特徴に併せて、ごみ袋の四辺を、容器の内壁に、略展着可能となる特徴がある。
【００１３】
請求項３は、有底箱体の上端縁に設けた対の受入れ管に、蓋部の一部に設けた軸管を、差込み嵌合し、嵌合で形成される管間に、支持用のピン（杆体、棒等の支持体）を差込み支持したごみ袋容器である。
【００１４】
これにより、請求項３の発明では、請求項１の特徴に併せて、容器の蓋部を、確実、かつ簡易に取付け得る特徴がある。
【００１５】
請求項４は、有底箱体の第４側面の外壁に、ごみ袋の第２収容部を設けたごみ袋容器である。
【００１６】
これにより、請求項４の発明では、請求項１の特徴に併せて、容器に、ごみ袋を、確実、かつ簡易に収容できる特徴がある。
【００１７】
請求項５は、有底箱体は、立方体形状、三角形状、楕円形状、又は円筒形状の何れかとしたごみ袋容器である。
【００１８】
これにより、請求項５の発明では、請求項１の特徴に併せて、容器の形状の多様性を確保しつつ、使用者の好み、又は設置場所のエリアーに最適で、邪魔にならない容器の提供に寄与できる特徴がある。
【図面の簡単な説明】
【００１９】
【図１】ごみ袋を取付け、（セットした）容器の蓋部を開放し、ごみを投入できる。所謂、使用可能な状態の俯瞰図
【図２】例えば、ごみ袋を取付けた容器の蓋部を閉鎖した状態の正面図
【図３】図１の平面図
【図４】図１の側面図
【図５】図３のＡ−Ａ断面図
【図６】図５の蓋部を矢視した正面図
【図７】蓋部の取付け機構（枢着機構）を説明する拡大平面図
【図７−１】図２の蓋部を閉鎖した（閉めた）状態の取付け機構の要部概念を示した模式図
【図７−２】図５の蓋部を開放した（開いた）状態の取付け機構の要部概念を示した模式図
【図７−３】図２の蓋部を閉鎖した状態の取付け機構を示した模式図
【図７−４】図５の蓋部を開放した状態の取付け機構を示した模式図
【図８】ごみ袋のひれ片を、第３側面（内壁）と差込み片との隙間に差入れる一方側の一例を示した拡大模式図（他方側も同じ）
【発明を実施するための形態】
【００２０】
以下、本発明の好ましい各実施例を説明する。説明する各実施例において、構造（構成）、手段、及び／又は、特徴は、好ましい一例である。従って、同様な他の構造、他の手段、及び／又は、同様な他の特徴は、本発明の範疇である。
【００２１】
図中１は、立方体の容器で、この一例では、有底箱体である。その構成は、対峙する第１・第２側面２、３と、この第１・第２側面２、３と、直交する第３・第４側面４、５と、でなる立上容器側面１ａであって、この立上容器側面１ａは有底であり底部６を備える。
【００２２】
そして、有底箱体は、立方体形状、三角形状、楕円形状、又は円筒形状の何れでも可能であり、この中で、円筒形状では、第１・第２側面２、３と、第３・第４側面４、５とが一体でなり、所謂、円形を呈する。他の構造、例えば、三角形状、多角形状においても、同じ解釈が考えられる。
【００２３】
そして、第１・第２側面２、３の第１・第２外壁２ａ、３ａの望ましくは（以下、各構成では、省略する）、その上部（容器１の開口１ｂの下側）に、それぞれ、ごみ袋２０の取手係止用の対の第１・第２突起１０、１１と、その下部に対の第１・第２釣手１２、１３が突設形成されている。尚、第１・第２突起１０、１１、及び／又は、第１・第２釣手１２、１３は、側面外方向、側面に倣った方向等の如く、折り畳み自在とか、場合により、容器１内に収容可能とすることも有効である。
【００２４】
本発明の特徴は、図１の如く、第１側面２の第１突起１０に、ごみ袋２０の一方の第１取手２０００を張装して引掛け係止し、第２側面３の第２突起１１に、ごみ袋２０の他方の第２取手２００１を張装して引掛け係止し、ごみ袋２０の一方２０ａと、他方２０ｂを掛け止める。そして、第１・第２釣手１２、１３は、第１・第２突起１０、１１の下にあり、容器１の持ち運びには問題がない。また、第１・第２釣手１２、１３を、例えば、板状とすることで、力を入れての持ち上げに役立ち、また、手を、誤って、外すことも少なくなる等の如く、安定性と安心感がある。
【００２５】
従って、前述した如く、一方・他方の第１・第２突起１０、１１、及び／又は、第１・第２差込み隙間１４００、１５００を利用することで、図１の如く、ごみ袋２０の開口２００４を、略完全に開放できる。
【００２６】
また、第３・第４側面４、５の第３内壁４ｂ・第４外壁５ａの望ましくは、その上部に、それぞれ、ごみ袋のひれ片係止用の第１・第２差込み片１４、１５を形成する。この第３内壁４ｂと第１差込み片１４との間に第１差込み隙間１４００が形成される。また、この第４外壁５ａと第２差込み片１５との間に第２差込み隙間１５００が形成される。そして、図１に示すように、第１差込み隙間１４００に、ごみ袋２０の一方の第１ひれ片２００２が掛け止め係止される。望ましくは、折曲係止され、必要により、第２差込み隙間１５００に、他方の第２ひれ片２００３が掛け止め係止される。また、第１・第２ひれ片２００２、２００３は、望ましくは、それぞれ折曲係止される。尚、図示しないが、第１差込み隙間１４００、及び／又は、第２差込み隙間１５００には、各形態のスリップ止めを設けるか、スリップ防止カバー等の手段を設けることもあり得る。
【００２７】
そして、本発明の特徴の一例は、第１・第２突起１０、１１、及び／又は、第１・第２差込み隙間１４００、１５００を利用することで、図１の如く、ごみ袋２０の開口２００４を、略完全に開放できることである。
【００２８】
図中３０は、蓋部であり、図１と図７〜７−４において、その詳細が図示されている。蓋部３０は容器１の開口１ｂに嵌合、及び／又は、被嵌される密封性シール３０００を備えた構造と、フラットな構造がある。そして、蓋部３０の枢着側には軸管３００１が設けられている。蓋部３０は、軸管３００１と後述する管１００、及び枢着ピン３１と（枢支部）を利用し、容器１の開口１ｂに揺動自在に取付けられる。蓋部３０の取付けの一例を説明すると、軸管３００１を、容器１の上端の枢着側に複数個設けた枢着用管１００の水平方向Ｌの空間内に余裕をもって配備し、この管１００と軸管３００１との連結孔内に、ピン３１を貫通支持して、止め具３２（適宜方法）で固定する。尚、図７−３と図７−４の例では、軸管３００１を、第３側面４の軸管３００１に備えた連結部３００２に設けた例である。また、図４、図５の例は、軸管３００１を、ブラケット３００３に設けた例である。さらに図示しない他の例も有り得る。何れにしても、蓋部３０の軸管３００１の枢着は限定されない。軸管３００１は、容器１の開口１ｂの近傍の第３外壁４ａに設けることが望ましい（例えば、図４参照）。
【００２９】
図中４０、４１は、ごみ袋２０の第１・第２収容部であり、図１と、図４、図５に示したように、蓋部３０の閉塞側内面３０ａに第１収容部４０、及び／又は、第４側面５の第４外壁５ａの一か所〜数か所に第２収容部４１が設けられている。尚、収容部４０、４１は、機種により、開放側外面３０ｂとか、第１外壁〜第３外壁２ａ〜５ａとかの何れかに、一か所〜数か所に設けることも可能であり、必要とする機種を製造する。従って、需要者は、ごみ袋容器（符号なし）の設置個所を考慮して選択する。この収容部４０は、前述の第１・第２突起１０、１１、第１・第２釣手１２、１３、又は第１・第２差込み片１４、１５等の必要とする器材の邪魔とならない箇所に配備する。収容部４０、４１は筐体であるが、限定されない
以下、本発明の使用の一例を説明すると、蓋部３０は、枢支部Ｘを利用し、容器１の内部を開放する。この開放後に、開口１ｂより底部６に向ってごみ袋２０を差入れる。その後、第１・第２取手２０００、２００１を、第１・第２突起１０、１１にそれぞれ引掛けるとともに、必要により第１・第２ひれ片２００２、２００３を、第１・第２差込み隙間１４００、１５００に差込むと、例えば、図１の如く、ごみ袋２０が容器１内にセットされるとともに、開口２００４が、容器１の開口１ｂに添設されるようにセットされる。尚、蓋部３０は、図４、図５、又は図７−１〜図７−４の如く，軸管３００１が、容器１の第３側面４の第３外壁４ａのブラケット３００３、又は連結部３００２のストッパー（符号なし）に衝止し、枢支部Ｘより後側（容器１の開口１ｂの外側）に傾く構造であり、ごみの出入れが容易となり、また、収容部４０が邪魔とならない。そして、ごみ袋２０への収容が終了した際には、蓋部３０を閉鎖することで、例えば、シール３０００の働きで、臭気の拡散と、水漏れ防止等に有効である。
【００３０】
続いて、ごみ袋２０にごみを収容するには、前述の操作の逆であり、容易に離間できるものである。そして、ごみ袋２０の取出しは、前述の逆の操作で、容易に取外しできる。なお図面では、第１・第２収容部４０、４１に収納した新しい及び／又は予備のごみ袋を「（２０）」で示す。
【００３１】
前述した如く、一実施例は、好ましい例の構成、及び／又は、特徴である。従って、同様な他の構造、手段、及び／又は、特徴は、本発明の範疇である。
【符号の説明】
【００３２】
１  容器
１ａ  立上容器側面
１ｂ  開口
１００  管
２  第１側面
２ａ  第１外壁
３  第２側面
３ａ  第２外壁
４  第３側面
４ａ  第３外壁
４ｂ  第３内壁
５  第４側面
５ａ  第４外壁
６  底部
１０  第１突起
１１  第２突起
１２  第１釣手
１３  第２釣手
１４  第１差込み片
１４００  第１差込み隙間
１５  第２差込み片
１５００  第２差込み隙間
２０  ごみ袋
２０ａ  一方
２０ｂ  他方
２０００  第１取手
２００１  第２取手
２００２  第１ひれ片
２００３  第２ひれ片
２００４  開口
３０  蓋部
３０ａ  内面
３０ｂ  外面
３０００  シール
３００１  軸管
３００２  連結部
３００３  ブラケット
３１  ピン
３２  止め具
Ｘ  枢支部
４０  第１収容部
４１  第２収容部
【図１】
2019123612.tif 000003
【図２】
2019123612.tif 000004
【図３】
2019123612.tif 000005
【図４】
2019123612.tif 000006
【図５】
2019123612.tif 000007
【図６】
2019123612.tif 000008
【図７】
2019123612.tif 000009
【図７−１】
2019123612.tif 000010
【図７−２】
2019123612.tif 000011
【図７−３】
2019123612.tif 000012
【図７−４】
2019123612.tif 000013
【図８】
2019123612.tif 000014
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
立方体の有底箱体と、この箱体の対峙する第１・第２側面外壁の上部に設けたごみ袋の取手係止用の突起、及び／又は、釣手と、第１・第２側面と、直交する第３・第４側面（４）、（５）の上部に設けたごみ袋のひれ片係止用の第１・第２差込み片（１４）、（１５）と、少なくとも、前記箱体の第３側面に枢着した蓋部の裏面に、ごみ袋の第１収容部を設けたごみ袋容器において、
前記第１差込み片（１４）の内壁と前記蓋部が枢着された前記第３側面（４）の内壁（４ｂ）との間に第１差込み隙間（１４００）を形成し、前記第２差込み片（１５）の内壁と前記第４側面（５）の外壁（５ａ）との間に第２差込み隙間（１５００）を形成し、たことを特徴とするごみ袋容器。
【請求項２】
前記有底箱体の上端縁に設けた対の受入れ管に、前記蓋部の一部に設けた軸管を、差込み嵌合し、この嵌合で形成される管間に、支持用のピンを差込み支持したことを特徴とする請求項１に記載のごみ袋容器。
【請求項３】
前記有底箱体の第３側面の外側に、ごみ袋の第２収容部を設けたことを特徴とする請求項１に記載のごみ袋容器。
【請求項４】
前記有底箱体は、立方体形状、三角形状、楕円形状、又は円筒形状の何れかとしたことを特徴とする請求項１に記載のごみ袋容器。
【手続補正２】
【補正対象書類名】明細書
【補正対象項目名】０００９
【補正方法】変更
【補正の内容】
【０００９】
請求項１の発明は、立方体の有底箱体と、箱体の対峙する第１・第２側面外壁の上部に設けたごみ袋の取手係止用の突起、及び／又は、釣手と、第１・第２側面と、直交する第３・第４側面（４）、（５）の上部に設けたごみ袋のひれ片係止用の第１・第２差込み片（１４）、（１５）と、少なくとも、箱体の第３側面に枢着した蓋部の裏面に、ごみ袋の第１収容部を設けたごみ袋容器において、
第１差込み片（１４）の内壁と蓋部が枢着された第３側面（４）の内壁（４ｂ）との間に第１差込み隙間（１４００）を形成し、第２差込み片（１５）の内壁と第４側面（５）の外壁（５ａ）との間に第２差込み隙間（１５００）を形成し、たことを特徴とするごみ袋容器である。
【手続補正３】
【補正対象書類名】明細書
【補正対象項目名】００１０
【補正方法】変更
【補正の内容】
【００１０】
これにより、請求項１の発明では、ごみ袋容器、及び／又は、ごみ袋の使い勝手が良く、かつ誰でも、ごみを容易に捨て得ることと、併せて、ごみ袋の取付け、取外しが容易に行える特徴がある。また、予備のごみ袋の収容（保管）と取出し等の容易化と、これに関連した所作の簡易化、標準化等が図れる特徴がある。また、第１差込み片（１４）の内壁と蓋部が枢着された第３側面（４）の内壁（４ｂ）との間に第１差込み隙間（１４００）を形成し、第２差込み片（１５）の内壁と前記第４側面（５）の外壁（５ａ）との間に第２差込み隙間（１５００）を形成し、この第１差込み隙間（１４００）、及び第２差込み隙間（１５００）に、第１ひれ片（２００２）、第２ひれ片（２００３）を差込むことで、容易、かつ速やかに支持できる特徴がある。さらに、ごみ袋の四辺を、容器の内壁に、略展着可能となる特徴がある。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
請求項２は、有底箱体の上端縁に設けた対の受入れ管に、蓋部の一部に設けた軸管を、差込み嵌合し、嵌合で形成される管間に、支持用のピン（杆体、棒等の支持体）を差込み支持したごみ袋容器である。
【手続補正７】
【補正対象書類名】明細書
【補正対象項目名】００１４
【補正方法】変更
【補正の内容】
【００１４】
これにより、請求項２の発明では、請求項１の特徴に併せて、容器の蓋部を、確実、かつ簡易に取付け得る特徴がある。
【手続補正８】
【補正対象書類名】明細書
【補正対象項目名】００１５
【補正方法】変更
【補正の内容】
【００１５】
請求項３は、有底箱体の第４側面の外壁に、ごみ袋の第２収容部を設けたごみ袋容器である。
【手続補正９】
【補正対象書類名】明細書
【補正対象項目名】００１６
【補正方法】変更
【補正の内容】
【００１６】
これにより、請求項３の発明では、請求項１の特徴に併せて、容器に、ごみ袋を、確実、かつ簡易に収容できる特徴がある。
【手続補正１０】
【補正対象書類名】明細書
【補正対象項目名】００１７
【補正方法】変更
【補正の内容】
【００１７】
請求項４は、有底箱体は、立方体形状、三角形状、楕円形状、又は円筒形状の何れかとしたごみ袋容器である。
【手続補正１１】
【補正対象書類名】明細書
【補正対象項目名】００１８
【補正方法】変更
【補正の内容】
【００１８】
これにより、請求項４の発明では、請求項１の特徴に併せて、容器の形状の多様性を確保しつつ、使用者の好み、又は設置場所のエリアーに最適で、邪魔にならない容器の提供に寄与できる特徴がある。